(57)【要約】【課題】原稿に欠けもなく、見やすい画像を取得する。【解決手段】コンピュータ２は、画像の縦横比とモニタ表示の縦横方向の縦横比とを取得して、画像の縦横比とモニタ表示の縦横比とを比較する。コンピュータ２は、モニタ表示の縦横比を基準として、画像の縦方向の長さと横方向の長さとのいずれが長いかを判定する。そして、コンピュータ２は、画像の縦横方向のいずれか一方がモニタ表示枠と合致、あるいはわずかに小さくなるように、判定結果に基づいて画像の倍率を設定し、画像を拡大又は縮小する。そして、コンピュータ２は、サイズを統一した画像のデータをプロジェクタ１に出力する。【選択図】図１
2005109978.tif 000002
【特許請求の範囲】
【請求項１】
撮影した投影対象物の画像をスクリーンに投影する撮影画像投影システムに用いられるカメラにおいて、
前記投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率で前記投影対象物の画像を拡大又は縮小する画像処理部を備え、
前記画像処理部が画像処理を施した画像を前記スクリーンに投影する画像として出力する、
ことを特徴とする撮影画像投影システムに用いられるカメラ。
【請求項２】
前記投影対象物の画像の縦横方向の大きさの比と前記モニタ表示枠の縦横比とを比較し、比較結果に基づいて前記モニタ表示枠と対応する前記投影対象物の画像の方向を判別する判別部と、
前記判別部が前記モニタ表示枠と対応すると判別した方向の前記投影対象物の画像の長さと前記モニタ表示枠の対応する辺の長さとの比に基づいて前記倍率を設定する倍率設定部と、を備え、
前記画像処理部は、前記倍率設定部が設定した倍率で前記投影対象物の画像を拡大又は縮小するように構成された、
ことを特徴とする請求項１に記載の撮影画像投影システムに用いられるカメラ。
【請求項３】
前記倍率設定部は、前記投影対象物の画像の縦横方向のうちのいずれか一方と前記モニタ表示枠とが一致するか、又は前記投影対象物の画像の縦横方向のうちのいずれか一方が前記モニタ表示枠よりも小さくなるなるように前記倍率を設定する、
ことを特徴とする請求項２に記載の撮影画像投影システムに用いられるカメラ。
【請求項４】
前記画像処理部は、前記拡大又は縮小した投影対象物の画像を、前記モニタ表示枠内の中央近傍に表示されるように配置する画像処理を施す、
ことを特徴とする請求項１乃至３のいずれか１項に記載の撮影画像投影システムに用いられるカメラ。
【請求項５】
前記画像処理部は、前記拡大又は縮小した投影対象物の画像と前記モニタ表示枠との間に生じた余白に背景色を付す画像処理を行う、
ことを特徴とする請求項１乃至４のいずれか１項に記載の撮影画像投影システムに用いられるカメラ。
【請求項６】
前記画像処理部は、前記拡大又は縮小した投影対象物の画像と前記モニタ表示枠との間に生じた余白に背景色として、予め設定された色を付す、
ことを特徴とする請求項５に記載の撮影画像投影システムに用いられるカメラ。
【請求項７】
前記画像処理部は、前記拡大又は縮小した投影対象物の画像と前記モニタ表示枠との間に生じた余白に背景色として、ユーザによって指定された色を付す、
ことを特徴とする請求項５に記載の撮影画像投影システムに用いられるカメラ。
【請求項８】
前記投影対象物として原稿を撮影する、
ことを特徴とする請求項１乃至７のいずれか１項に記載の撮影画像投影システムに用いられるカメラ。
【請求項９】
撮影した投影対象物の画像をスクリーンに投影する撮影画像投影システムに用いられるコンピュータにおいて、
前記投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率で前記投影対象物の画像を拡大又は縮小する画像処理部を備え、
前記画像処理部が画像処理を施した画像を、前記スクリーンに投影する投影部に出力する、
ことを特徴とする撮影画像投影システムに用いられるコンピュータ。
【請求項１０】
前記投影対象物の画像の縦横方向の大きさの比と前記モニタ表示枠の縦横比とを比較し、比較結果に基づいて前記モニタ表示枠と対応する前記投影対象物の画像の方向を判別する判別部と、
前記判別部が前記モニタ表示枠と対応すると判別した方向の前記投影対象物の画像の長さと前記モニタ表示枠の対応する辺の長さとの比に基づいて前記倍率を設定する倍率設定部と、を備え、
前記画像処理部は、前記倍率設定部が設定した倍率で前記投影対象物の画像を拡大又は縮小するように構成された、
ことを特徴とする請求項９に記載の撮影画像投影システムに用いられるコンピュータ。
【請求項１１】
前記倍率設定部は、前記投影対象物の画像の縦横方向のうちのいずれか一方と前記モニタ表示枠とが一致するか、又は前記投影対象物の画像の縦横方向のうちのいずれか一方が前記モニタ表示枠よりも小さくなるなるように前記倍率を設定する、
ことを特徴とする請求項１０に記載の撮影画像投影システムに用いられるカメラ。
【請求項１２】
前記画像処理部は、前記拡大又は縮小した投影対象物の画像を、前記モニタ表示枠内の中央近傍に表示されるように配置する画像処理を施す、
ことを特徴とする請求項９乃至１１のいずれか１項に記載の撮影画像投影システムに用いられるコンピュータ。
【請求項１３】
前記画像処理部は、前記拡大又は縮小した投影対象物の画像と前記モニタ表示枠との間に生じた余白に背景色を付す画像処理を行う、
ことを特徴とする請求項９乃至１２のいずれか１項に記載の撮影画像投影システムに用いられるコンピュータ。
【請求項１４】
前記画像処理部は、前記拡大又は縮小した投影対象物の画像と前記モニタ表示枠との間に生じた余白に背景色として、予め設定された色を付す、
ことを特徴とする請求項１３に記載の撮影画像投影システムに用いられるコンピュータ。
【請求項１５】
前記画像処理部は、前記拡大又は縮小した投影対象物の画像と前記モニタ表示枠との間に生じた余白に背景色として、ユーザによって指定された色を付す、
ことを特徴とする請求項１３に記載の撮影画像投影システムに用いられるコンピュータ。
【請求項１６】
前記画像処理部は、前記投影対象物として原稿を撮影することによって得られた原稿の画像に前記画像処理を行う、
ことを特徴とする請求項９乃至１５のいずれか１項に記載の撮影画像投影システムに用いられるコンピュータ。
【請求項１７】
撮影した投影対象物の画像をスクリーンに投影する撮影画像投影システムに用いられるプロジェクタにおいて、
前記投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率で前記投影対象物の画像を拡大又は縮小する画像処理部を備え、
前記画像処理部が画像処理を施した画像を前記スクリーンに投影する、
ことを特徴とする撮影画像投影システムに用いられるプロジェクタ。
【請求項１８】
前記投影対象物の画像の縦横方向の大きさの比と前記モニタ表示枠の縦横比とを比較し、比較結果に基づいて前記モニタ表示枠と対応する前記投影対象物の画像の方向を判別する判別部と、
前記判別部が前記モニタ表示枠と対応すると判別した方向の前記投影対象物の画像の長さと前記モニタ表示枠の対応する辺の長さとの比に基づいて前記倍率を設定する倍率設定部と、を備え、
前記画像処理部は、前記倍率設定部が設定した倍率で前記投影対象物の画像を拡大又は縮小するように構成された、
ことを特徴とする請求項１７に記載の撮影画像投影システムに用いられるプロジェクタ。
【請求項１９】
前記倍率設定部は、前記投影対象物の画像の縦横方向のうちのいずれか一方と前記モニタ表示枠とが一致するか、又は前記投影対象物の画像の縦横方向のうちのいずれか一方が前記モニタ表示枠よりも小さくなるなるように前記倍率を設定する、
ことを特徴とする請求項１８に記載の撮影画像投影システムに用いられるカメラ。
【請求項２０】
前記画像処理部は、前記拡大又は縮小した投影対象物の画像を、前記モニタ表示枠内の中央近傍に表示されるように配置する画像処理を施す、
ことを特徴とする請求項１７乃至１９のいずれか１項に記載の撮影画像投影システムに用いられるプロジェクタ。
【請求項２１】
前記画像処理部は、前記拡大又は縮小した投影対象物の画像と前記モニタ表示枠との間に生じた余白に背景色を付す画像処理を行う、
ことを特徴とする請求項１７乃至２０のいずれか１項に記載の撮影画像投影システムに用いられるプロジェクタ。
【請求項２２】
前記画像処理部は、前記拡大又は縮小した投影対象物の画像と前記モニタ表示枠との間に生じた余白に背景色として、予め設定された色を付す、
ことを特徴とする請求項２１に記載の撮影画像投影システムに用いられるプロジェクタ。
【請求項２３】
前記画像処理部は、前記拡大又は縮小した投影対象物の画像と前記モニタ表示枠との間に生じた余白に背景色として、ユーザによって指定された色を付す、
ことを特徴とする請求項２１に記載の撮影画像投影システムに用いられるプロジェクタ。
【請求項２４】
前記画像処理部は、前記投影対象物として原稿を撮影することによって得られた原稿の画像に前記画像処理を行う、
ことを特徴とする請求項１７乃至２３のいずれか１項に記載の撮影画像投影システムに用いられるプロジェクタ。
【請求項２５】
スクリーンに投影する投影対象物の画像の画像処理を行う画像処理方法であって、
前記投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率を設定するステップと、
前記設定した倍率で前記投影対象物の画像を拡大又は縮小するステップと、を備えた、
ことを特徴とする画像処理方法。
【請求項２６】
コンピュータに、
投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率を設定する手順、
前記設定した倍率で前記投影対象物の画像を拡大又は縮小する手順、
を実行させるためのプログラム。
【発明の詳細な説明】
【技術分野】
【０００１】
本発明は、撮影画像投影装置、画像処理方法及びプログラムに関するものである。
【背景技術】
【０００２】
近年、撮影画像投影装置として、ユーザが原稿台に載置した原稿をカメラで撮影して、カメラで撮影した原稿の画像データをコンピュータの記憶装置に記憶して画像処理を行い、プロジェクタを用いてスクリーン上に原稿の画像を拡大して投影するものがある（例えば、特許文献１参照）。
【特許文献１】特開２００２−３５４３３１号公報（第２−３頁、図１）
【発明の開示】
【発明が解決しようとする課題】
【０００３】
しかし、原稿の用紙サイズは様々であり、適切な倍率で原稿を撮影しないと、原稿の一部が欠けたり、余白が大きくなったりして見づらくなるといった問題が生じる。
【０００４】
本発明は、このような従来の問題点に鑑みてなされたもので、見やすい画像を表示することが可能な撮影画像投影撮影画像投影システムに用いられるカメラ、撮影画像投影システムに用いられるコンピュータ、撮影画像投影システムに用いられるプロジェクタ、画像処理方法を提供することを目的とする。
【課題を解決するための手段】
【０００５】
この目的を達成するため、本発明の第１の観点に係る撮影画像投影装置は、
撮影した投影対象物の画像をスクリーンに投影する撮影画像投影システムに用いられるカメラにおいて、
前記投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率で前記投影対象物の画像を拡大又は縮小する画像処理部を備え、
前記画像処理部が画像処理を施した画像を前記スクリーンに投影する画像として出力することを特徴とする。
【０００６】
前記投影対象物の画像の縦横方向の大きさの比と前記モニタ表示枠の縦横比とを比較し、比較結果に基づいて前記モニタ表示枠と対応する前記投影対象物の画像の方向を判別する判別部と、
前記判別部が前記モニタ表示枠と対応すると判別した方向の前記投影対象物の画像の長さと前記モニタ表示枠の対応する辺の長さとの比に基づいて前記倍率を設定する倍率設定部と、を備え、
前記画像処理部は、前記倍率設定部が設定した倍率で前記投影対象物の画像を拡大又は縮小するように構成されたものであってもよい。
【０００７】
前記倍率設定部は、前記投影対象物の画像の縦横方向のうちのいずれか一方と前記モニタ表示枠とが一致するか、又は前記投影対象物の画像の縦横方向のうちのいずれか一方が前記モニタ表示枠よりも小さくなるなるように前記倍率を設定するものであってもよい
【０００８】
前記画像処理部は、前記拡大又は縮小した投影対象物の画像を、前記モニタ表示枠内の中央近傍に表示されるように配置する画像処理を施すものであってもよい。
【０００９】
前記画像処理部は、前記拡大又は縮小した投影対象物の画像と前記モニタ表示枠との間に生じた余白に背景色を付す画像処理を行うものであってもよい。
【００１０】
前記画像処理部は、前記拡大又は縮小した投影対象物の画像と前記モニタ表示枠との間に生じた余白に背景色として、予め設定された色を付すものであってもよい。
【００１１】
前記画像処理部は、前記拡大又は縮小した投影対象物の画像と前記モニタ表示枠との間に生じた余白に背景色として、ユーザによって指定された色を付すものであってもよい。
【００１２】
撮影画像投影システムに用いられるカメラは、前記投影対象物として原稿を撮影するものであってもよい。
【００１３】
本発明の第２の観点に係る撮影画像投影システムに用いられるコンピュータは、
撮影した投影対象物の画像をスクリーンに投影する撮影画像投影システムに用いられるコンピュータにおいて、
前記投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率で前記投影対象物の画像を拡大又は縮小する画像処理部を備え、
前記画像処理部が画像処理を施した画像を、前記スクリーンに投影する投影部に出力することを特徴とする。
【００１４】
前記投影対象物の画像の縦横方向の大きさの比と前記モニタ表示枠の縦横比とを比較し、比較結果に基づいて前記モニタ表示枠と対応する前記投影対象物の画像の方向を判別する判別部と、
前記判別部が前記モニタ表示枠と対応すると判別した方向の前記投影対象物の画像の長さと前記モニタ表示枠の対応する辺の長さとの比に基づいて前記倍率を設定する倍率設定部と、を備え、
前記画像処理部は、前記倍率設定部が設定した倍率で前記投影対象物の画像を拡大又は縮小するように構成されたものであってもよい。
【００１５】
前記倍率設定部は、前記投影対象物の画像の縦横方向のうちのいずれか一方と前記モニタ表示枠とが一致するか、又は前記投影対象物の画像の縦横方向のうちのいずれか一方が前記モニタ表示枠よりも小さくなるなるように前記倍率を設定するものであってもよい。
【００１６】
前記画像処理部は、前記拡大又は縮小した投影対象物の画像を、前記モニタ表示枠内の中央近傍に表示されるように配置する画像処理を施すものであってもよい。
【００１７】
前記画像処理部は、前記拡大又は縮小した投影対象物の画像と前記モニタ表示枠との間に生じた余白に背景色を付す画像処理を行うものであってもよい。
【００１８】
前記画像処理部は、前記拡大又は縮小した投影対象物の画像と前記モニタ表示枠との間に生じた余白に背景色として、予め設定された色を付すものであってもよい。
【００１９】
前記画像処理部は、前記拡大又は縮小した投影対象物の画像と前記モニタ表示枠との間に生じた余白に背景色として、ユーザによって指定された色を付すものであってもよい。
【００２０】
前記画像処理部は、前記投影対象物として原稿を撮影することによって得られた原稿の画像に前記画像処理を行うものであってもよい。
【００２１】
本発明の第３の観点に係る撮影画像投影システムに用いられるプロジェクタは、
撮影した投影対象物の画像をスクリーンに投影する撮影画像投影システムに用いられるプロジェクタにおいて、
前記投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率で前記投影対象物の画像を拡大又は縮小する画像処理部を備え、
前記画像処理部が画像処理を施した画像を前記スクリーンに投影することを特徴とする。
【００２２】
前記投影対象物の画像の縦横方向の大きさの比と前記モニタ表示枠の縦横比とを比較し、比較結果に基づいて前記モニタ表示枠と対応する前記投影対象物の画像の方向を判別する判別部と、
前記判別部が前記モニタ表示枠と対応すると判別した方向の前記投影対象物の画像の長さと前記モニタ表示枠の対応する辺の長さとの比に基づいて前記倍率を設定する倍率設定部と、を備え、
前記画像処理部は、前記倍率設定部が設定した倍率で前記投影対象物の画像を拡大又は縮小するように構成されたものであってもよい。
【００２３】
前記倍率設定部は、前記投影対象物の画像の縦横方向のうちのいずれか一方と前記モニタ表示枠とが一致するか、又は前記投影対象物の画像の縦横方向のうちのいずれか一方が前記モニタ表示枠よりも小さくなるなるように前記倍率を設定するものであってもよい。
【００２４】
前記画像処理部は、前記拡大又は縮小した投影対象物の画像を、前記モニタ表示枠内の中央近傍に表示されるように配置する画像処理を施すものであってもよい。
【００２５】
前記画像処理部は、前記拡大又は縮小した投影対象物の画像と前記モニタ表示枠との間に生じた余白に背景色を付す画像処理を行うものであってもよい。
【００２６】
前記画像処理部は、前記拡大又は縮小した投影対象物の画像と前記モニタ表示枠との間に生じた余白に背景色として、予め設定された色を付すものであってもよい。
【００２７】
前記画像処理部は、前記拡大又は縮小した投影対象物の画像と前記モニタ表示枠との間に生じた余白に背景色として、ユーザによって指定された色を付すものであってもよい。
【００２８】
前記画像処理部は、前記投影対象物として原稿を撮影することによって得られた原稿の画像に前記画像処理を行うものであってもよい。
【００２９】
本発明の第４の観点に係る画像処理方法は、
スクリーンに投影する投影対象物の画像の画像処理を行う画像処理方法であって、
前記投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率を設定するステップと、
前記設定した倍率で前記投影対象物の画像を拡大又は縮小するステップと、を備えたことを特徴とする。
【００３０】
本発明の第５の観点に係るプログラムは、
コンピュータに、
投影対象物を撮影することによって得られた投影対象物の画像が、前記スクリーンの画像投影枠と対応するモニタ表示枠内にすべて表示されるように、前記投影対象物の画像の縦横方向のうちのいずれか一方と前記モニタ表示枠とが対応する倍率を設定する手順、
前記設定した倍率で前記投影対象物の画像を拡大又は縮小する手順、
を実行させるためのものである。
【発明の効果】
【００３１】
本発明によれば、見やすい画像を表示することができる。
【発明を実施するための最良の形態】
【００３２】
以下、本発明の実施の形態に係る撮影画像投影装置を図面を参照して説明する。
本実施形態に係る撮影画像投影装置の構成を図１に示す。
撮影画像投影装置は、プロジェクタ１と、コンピュータ２と、書画カメラ３と、から構成される。
【００３３】
プロジェクタ１とコンピュータ２は、ＲＧＢケーブル４を介して接続される。コンピュータ２と書画カメラ３とは、ＵＳＢケーブル５を介して接続される。
【００３４】
プロジェクタ１は、原稿（投影対象物）としての書面資料Ａに対応する画像データが供給されて、供給された画像データに基づく画像をスクリーンＳに投影するものであり、光学系１ａを本体正面に備える。光学系１ａは、投影レンズ等が収容されたものであり、プロジェクタ１は、光学系１ａを介してドキュメントや画像の光をスクリーンＳに照射する。
【００３５】
図１に示すコンピュータ２は、例えば、ノート型のパーソナルコンピュータによって構成されたものであり、種々のプログラムを実行する。また、コンピュータ２は、書画カメラ機能がユーザによって選択されると、書画カメラ３のカメラ３ａによって撮影された書面資料Ａの画像データを取得して画像処理等を行い、画像処理等された画像データをプロジェクタ１に供給する。
【００３６】
コンピュータ２は、図２に示すように、カメラＩ／Ｆ（インタフェース）２１と、画像処理装置２２と、記憶装置２３と、表示装置２４と、入力装置２５と、ＲＯＭ（Read Only Memory）２６と、ＲＡＭ（Random Access Memory）２７と、ＣＰＵ（Central Processing Unit）２８と、を備えて構成される。
【００３７】
カメラＩ／Ｆ２１は、書画カメラ３から画像データ等を受け取るものである。
画像処理装置２２は、カメラＩ／Ｆ２１が受け取った画像データに対して、画像処理を行うものである。画像処理装置２２は、画像処理として、画像データの画像を矩形に変換し、回転し、切り抜く処理を行い、さらに、画像の拡大／縮小処理も行う。
【００３８】
尚、画像処理装置２２は、ハードウェアによって構成されたものであってもよいし、画像処理ソフトウェアによって構成されたものでもよい。
【００３９】
記憶装置２３は、画像処理装置２２が画像処理した画像データを記憶して保存するものであり、ハードディスク等からなる。この画像データは、プロジェクタ１がスクリーンＳに投影する画像の画像データでもある。
【００４０】
記憶装置２３は、この画像データとともに、この画像データに関する画像情報を画像ファイルとして保存する。画像情報は、書面資料Ａの撮影日、撮影時刻、投影した時間、露出条件、プレビュー（preview；試写）形式の画像データ、その他の撮影条件を含む。
【００４１】
表示装置２４は、画像処理装置２２が画像処理する前後の画像をモニタ表示するためのものであり、画像をモニタ表示するためのＬＣＤ（Liquid Crystal Display）及びその駆動回路等からなる。
【００４２】
尚、表示装置２４のＬＣＤの表示サイズは、縦辺の長さ×横辺の長さで表される。この表示サイズの画面がモニタ表示枠になる。また、ＬＣＤの縦横比は、スクリーンＳの画像投影枠の縦横比と１対１で対応している。従って、ＬＣＤ内に表示された画像のデータがプロジェクタ１に出力されると、この画像は、すべて、スクリーンＳの画像投影枠内に表示される。
【００４３】
入力装置２５は、ユーザがデータを入力するためのものであり、データを入力するための複数のキー、マウスを備える（図示せず）。ユーザが入力装置２５の複数のキー、マウスを操作すると、入力装置２５は、このユーザの操作情報をＣＰＵ２８に供給する。
【００４４】
ＲＯＭ２６は、ＣＰＵ２８が実行するプログラム等を格納するものである。ＲＡＭ２７は、ＣＰＵ２８がプログラムを実行するのに必要なデータを記憶する作業用メモリである。
【００４５】
ＣＰＵ２８は、ＲＯＭ２６に格納されているプログラムに従って、コンピュータ２の各部と、書画カメラ３とプロジェクタ１とを制御する。
【００４６】
また、ＣＰＵ２８は、画像処理装置２２が切り抜き処理を行った書面資料Ａの画像の縦横比と表示装置２４のＬＣＤの縦横比とを比較し、比較結果に基づいてＬＣＤと対応する画像の辺を判別する。そして、ＣＰＵ２８は、ＬＣＤと対応すると判別した辺の長さとＬＣＤの対応する辺の長さとの比に基づいて前記倍率を設定する。ＣＰＵ２８は、倍率として、書面資料Ａの画像の縦横方向のうちのいずれか一方とモニタ表示枠とが合致するか、あるいは書面資料Ａの画像の縦横方向のうちのいずれか一方がモニタ表示枠よりもわずかに小さくなるような倍率に設定する。
【００４７】
さらに、詳しくは、ＣＰＵ２８は、図３（ａ）に示すような画像の縦横比（Ｘ１／Ｙ１）と図３（ｂ）に示すような表示装置２４のＬＣＤの縦横比（Ｘ２／Ｙ２）とを取得して比較する。ＣＰＵ２８は、ＬＣＤの縦横比（Ｘ２／Ｙ２）は変わらないものとして、この場合の画像の縦辺（長さ；Ｙ１）と横辺（長さ；Ｘ１）とのいずれが長いかを判定する。
【００４８】
例えば、画像の縦横比（Ｘ１／Ｙ１）が、ＬＣＤの縦横比（Ｘ２／Ｙ２）未満であれば、ＣＰＵ２８は、画像の縦辺は横辺よりも長いと判定する。このように判定すると、ＣＰＵ２８は、画像を拡大又は縮小する倍率ｍに（Ｙ２／Ｙ１）を設定する。ＣＰＵ２８は、設定した倍率ｍを画像処理装置２２に供給し、画像処理装置２２は、供給された倍率ｍを用いて画像の拡大又は縮小処理を行う。
【００４９】
図１に示す書画カメラ３は、投影対象の書面資料Ａを撮影するためのカメラシステムであり、カメラ３ａと、支柱３ｂと、カメラ台３ｃと、を備える。カメラ３ａは、被写体としての書面資料Ａを撮影し、撮影した書面資料Ａの画像データを出力するためのデジタルカメラである。支柱３ｂは、カメラ３ａを取り付けるためのものである。カメラ３ａは、支柱３ｂの上端部に、上下左右に回動自在に取り付けられる。カメラ台３ｃは、支柱３ｂを支えるためのものであるとともに、新聞、雑誌の記事、プレゼン用紙、書面原稿等の書面資料Ａを載置するためのものである。
次に本実施形態に係る撮影画像投影装置の動作を説明する。
撮影画像投影装置は、図４に示すフローチャートに従って書画カメラ機能のメイン処理を実行する。
【００５０】
即ち、カメラ３ａは、カメラ台３ｃに載置されたドキュメント等の書面資料Ａを撮影する（ステップＳ１１）。
【００５１】
画像処理装置２２は、カメラＩ／Ｆ２１を介して、撮影した書面資料Ａの画像データを書画カメラ３から受け取る（ステップＳ１２）。
表示装置２４は、ＣＰＵ２８に制御されて、受け取った画像データの画像をＬＣＤに表示する（ステップＳ１３）。
画像処理装置２２は、受け取った画像データに対して歪み補正を行う（ステップＳ１４）。
【００５２】
画像処理装置２２は、歪み補正が行われた画像データの回転処理を行う（ステップＳ１５）。
画像処理装置２２は、回転処理が行われた画像データの切り抜き処理を行う（ステップＳ１６）。即ち、画像処理装置２２は、図５（ａ）に示すような元画像のうち、図５（ｂ）に示すような書面資料Ａの用紙部分を判別し、図５（ｃ）に示すように、この判別した書面資料Ａの用紙部分を切り抜く。この切り抜いた用紙部分が画像サイズとなる。
【００５３】
ＣＰＵ２８は、画像処理装置２２が切り抜いた図５（ｄ）に示すような画像のデータを受け取り、図６に示すフローチャートに従って、画像を拡大又は縮小するときの倍率を設定する（ステップＳ１７）。
【００５４】
ＣＰＵ２８は、画像処理装置２２から画像サイズを取得する（ステップＳ２１）。
ＣＰＵ２８は、取得した画像サイズから、画像の縦横比を算出する（ステップＳ２２）。
ＣＰＵ２８は、表示装置２４のＬＣＤの表示サイズと、その縦横比と、を取得する（ステップＳ２３）。
【００５５】
ＣＰＵ２８は、画像の縦横比（Ｘ１／Ｙ１）とＬＣＤの縦横比（Ｘ２／Ｙ２）とを比較する（ステップＳ２４）。
【００５６】
ＣＰＵ２８は、画像の縦横比（Ｘ１／Ｙ１）がＬＣＤの縦横比（Ｘ２／Ｙ２）未満であるか否かを判定する（ステップＳ２５）。
【００５７】
ＬＣＤの縦横比（Ｘ２／Ｙ２）は変わらないものとして、図７（ａ）に示すように、（Ｘ１／Ｙ１）＜（Ｘ２／Ｙ２）であれば、画像の縦辺（長さ；Ｙ１）は画像の横辺（長さ；Ｘ１）よりも長いことになる。従って、（Ｘ１／Ｙ１）＜（Ｘ２／Ｙ２）であると判定した場合（ステップＳ２５においてＹｅｓ）、ＣＰＵ２８は、画像の縦辺の長さＹ１をＬＣＤの対応する縦辺の長さＹ２に一致させるように、倍率ｍに（Ｙ２／Ｙ１）を設定する（ステップＳ２６）。あるいは、ＣＰＵ２８は、倍率ｍに（Ｙ２／Ｙ１）よりもわずかに小さな値を設定する。
【００５８】
（Ｘ１／Ｙ１）＜（Ｘ２／Ｙ２）ではないと判定した場合（ステップＳ２５においてＮｏ）、ＣＰＵ２８は、画像の縦横比（Ｘ１／Ｙ１）とＬＣＤの縦横比（Ｘ２／Ｙ２）とが等しいか否かを判定する（ステップＳ２７）。
【００５９】
（Ｘ１／Ｙ１）＝（Ｘ２／Ｙ２）であると判定した場合（ステップＳ２７においてＹｅｓ）、ＣＰＵ２８は、倍率ｍに（Ｙ２／Ｙ１）を設定する（ステップＳ２６）。あるいは、ＣＰＵ２８は、倍率ｍに（Ｙ２／Ｙ１）よりもわずかに小さな値を設定する。
【００６０】
一方、（Ｘ１／Ｙ１）≠（Ｘ２／Ｙ２）であれば、（Ｘ１／Ｙ１）＞（Ｘ２／Ｙ２）となり、この場合、画像の横辺は縦辺よりも長いことになる。従って、（Ｘ１／Ｙ１）≠（Ｘ２／Ｙ２）であると判定した場合（ステップＳ２７においてＮｏ）、ＣＰＵ２８は、画像の縦辺の長さＸ１とＬＣＤの対応する縦辺の長さＸ２とを一致させるように、倍率ｍに（Ｘ２／Ｘ１）を設定する（ステップＳ２８）。あるいは、ＣＰＵ２８は、倍率ｍに（Ｘ２／Ｘ１）よりもわずかに小さな値を設定する。
【００６１】
ＣＰＵ２８は、設定した倍率ｍを画像処理装置２２に供給する（ステップＳ２９）。
画像処理装置２２は、ＣＰＵ２８から供給された倍率ｍに基づいて画像の拡大又は縮小を行う（図４のステップＳ１８）。このとき、画像処理装置２２は、画像の中心位置とＬＣＤの中心位置とが一致するように画像処理を施す。
【００６２】
ＣＰＵ２８は、画像処理した画像データをプロジェクタ１に出力するように、画像処理装置２２を制御する（ステップＳ１９）。このようにして、カメラ３ａによって撮影された書面資料Ａの画像は、補正されてスクリーンＳに表示される。
【００６３】
以上説明したように、本実施形態によれば、ＣＰＵ２８が、書面資料Ａの画像の縦横比とモニタ表示枠の縦横比とを比較した比較結果に基づいて、書面資料Ａの画像がモニタ表示枠内に収まるように倍率を設定する。この設定される倍率は、書面資料Ａの画像の縦横方向のうちのいずれか一方とモニタ表示枠とが合致するか、あるいは書面資料Ａの画像の縦横方向のうちのいずれか一方がモニタ表示枠よりもわずかに小さくなるような倍率である。画像処理装置２２は、この倍率で書面資料Ａの画像を拡大又は縮小するようにした。
【００６４】
従って、撮影によって得られた書面資料Ａの画像は、表示装置２４のＬＣＤに、欠けることなく表示され、ＬＣＤに表示された画像をスクリーンＳに、見やすく表示させることができる。
【００６５】
また、画像処理装置２２が、書画カメラ３で撮影した画像の用紙部分だけを、プロジェクタ１の投影画像の中央に位置するように画像処理を行うようにしたので、書面資料Ａの画像を最大の大きさで表示させることができる。
【００６６】
尚、表示装置２４に画像データの画像を表示させた際、書面資料Ａの画像の縦横比と表示装置２４のＬＣＤの縦横比とが一致しないと、モニタ表示枠と書面資料Ａの画像との間に用紙の余白が生じる。この余白を背景部分として、背景部分の色を特定の色に設定することができる。この処理のフローチャートを図８に示す。
【００６７】
画像処理装置２２が画像の拡大又は縮小処理を行った後（ステップＳ１８）、ＣＰＵ２８は、表示装置２４のモニタ上において、特定の色として、背景部分の表示色を黒に設定する（ステップＳ３１）。
そして、ＣＰＵ２８は、この画像データを表示装置２４に送り、表示装置２４は、この背景色の画像をＬＣＤに表示する（ステップＳ３２）。
【００６８】
ＣＰＵ２８がこの画像データをプロジェクタ１に出力すると（ステップＳ１９）、（（Ｘ１／Ｙ１）＜（Ｘ２／Ｙ２））の場合には、図９（ａ）に示すように、画像の左右に特定の背景色が付された画像がＬＣＤに表示される。また、（（Ｘ１／Ｙ１）＞（Ｘ２／Ｙ２））の場合には、図９（ｂ）に示すように、画像の上下に特定の背景色が付された画像がＬＣＤに表示される。
【００６９】
また、背景部分の表示色を、ユーザ指定の色に設定することもできる。この処理を図１０のフローチャートに示す。
【００７０】
画像処理装置２２が画像の拡大又は縮小処理を行った後（ステップＳ１８）、ＣＰＵ２８は、黒、青といったユーザが選択した背景色の情報を取得する（ステップＳ４１）。
【００７１】
ＣＰＵ２８は、黒、青といった背景色のデータを記憶装置２３から取得する（ステップＳ４２）。
【００７２】
ＣＰＵ２８は、記憶装置２３から取得したデータに基づいて背景色を指定された色に設定する（ステップＳ４３）。
【００７３】
ＣＰＵ２８は、指定された背景色のデータを表示装置２４に送り、表示装置２４は、この背景色の画像をＬＣＤに表示する（ステップＳ４４）。
【００７４】
ＣＰＵ２８がこの画像データをプロジェクタ１に出力すると（ステップＳ１９）、図９（ａ），（ｂ）に示すように、左右又は上下にユーザ指定の背景色が付された画像がＬＣＤに表示される。
【００７５】
尚、上記実施の形態では、ＣＰＵ２８が書面資料Ａの画像の縦横比とＬＣＤの縦横比とを比較し、比較結果に基づいてＬＣＤと対応する画像の辺を判別し、倍率ｍを設定するようにした。しかし、この処理を画像処理装置２２が実行するようにしてもよい。
【００７６】
また、上記実施の形態では、コンピュータ２が、画像処理装置２２、ＣＰＵ２８等を備えるようにした。しかし、書画カメラ３又はプロジェクタ１が、画像処理装置２２、ＣＰＵ２８等を備えるように構成されることもできる。
【００７７】
また、撮影画像投影装置は、プロジェクタ１と、書画カメラ３とのみによって構成されるものとして、コンピュータ２を省くこともできる。この場合も、書画カメラ３又はプロジェクタ１が、画像処理装置２２、ＣＰＵ２８等を備えるように構成される。
【００７８】
また、上記実施の形態では、投影対象物を定型の原稿として説明した。しかし、投影対象物は、原稿に限られるものではなく、任意の形状の平面物や立体物であってもよい。
【図面の簡単な説明】
【００７９】
【図１】本発明の実施形態に係る撮影画像投影装置の構成を示す図である。
【図２】図１に示すコンピュータの構成を示すブロック図である。
【図３】画像の縦横比とプロジェクタの縦横比とを比較した説明図である。
【図４】図１に示す撮影画像投影装置が実行する書画カメラ機能のメイン処理を示すフローチャートである。
【図５】図１に示すコンピュータが実行する画像の切り抜き処理の説明図である。
【図６】図１に示すコンピュータが実行する倍率設定処理の内容を示すフローチャートである。
【図７】図１に示すコンピュータが実行する画像サイズの統一処理の内容を示す説明図である。
【図８】背景色を特定の色に設定する図１に示すコンピュータの処理内容を示すフローチャートである。
【図９】背景色が付された画像の説明図である。
【図１０】背景色を指定された色に設定する図１に示すコンピュータの処理内容を示すフローチャートである。
【符号の説明】
【００８０】
１・・・プロジェクタ、２・・・コンピュータ、３・・・書画カメラ、３ａ・・・カメラ、２２・・・画像処理装置、２３・・・記憶装置、２４・・・表示装置、２８・・・ＣＰＵ、Ｓ・・・スクリーン
【図１】
2005109978.tif 000003
【図２】
2005109978.tif 000004
【図３】
2005109978.tif 000005
【図４】
2005109978.tif 000006
【図５】
2005109978.tif 000007
【図６】
2005109978.tif 000008
【図７】
2005109978.tif 000009
【図８】
2005109978.tif 000010
【図９】
2005109978.tif 000011
【図１０】
2005109978.tif 000012